(57)【特許請求の範囲】
【請求項１】
音声出力されるべき音声信号の音量を調整する音量調整手段と、前記音声信号に施されるべき音場補正のパラメータを調整する音場調整手段と、前記音量調整手段による音量又は音場調整手段によるパラメータを所定操作にて調整する第１操作手段を有する操作パネルと、前記音量調整手段による音量又は音場調整手段によるパラメータを遠隔所定操作にて調整する第２操作手段を有するリモコンと、前記操作パネル又は前記リモコンから音量調整手段による音量調整モード又は前記音場調整手段によるパラメータ調整モードへのモード切換入力があるかどうかを判定し、該判定に応じてモードを切り換え、前記第１操作手段又は前記第２操作手段を該切り換えられたモード用に設定し、前記第１操作手段又は前記第２操作手段からの入力に応答して前記音量調整手段による音量又は前記音場調整手段によるパラメータを制御する制御手段とを有するオーディオ装置であって、
前記制御手段は、前記音場調整手段による音場補正時であると判断したとき、前記第１操作手段を前記音場調整手段によるパラメータ調整用とすると共に前記第２操作手段を前記音量調整手段による音量調整用に設定するか、又は、前記第１操作手段を前記音量調整手段による音量調整用とするとともに前記第２操作手段を前記音場調整手段によるパラメータ調整用に設定するように構成したことを特徴とするオーディオ装置。
【請求項２】
前記音量調整手段及び音場調整手段は、当該オーディオ装置に外部接続される外部装置であることを特徴とする請求項１記載のオーディオ装置。
【発明の詳細な説明】
【０００１】
【産業上の利用分野】
本発明は、音声出力されるべき音声信号の音場及び音質を補正するイコライザ／デジタル・シグナル・プロセッサ（ＥＱ／ＤＳＰ）装置といった音場補正装置を接続した、又は当該音場補正装置を有する例えばカーステレオ装置等のオーディオ装置に関する。
【０００２】
【従来の技術】
従来、このようなオーディオ装置であるカーステレオ装置としては、例えば盗難防止対策として要部着脱方式を採用したカーステレオ装置が上げられる。
【０００３】
このような要部着脱方式を採用したカーステレオ装置としては、例えばカセットデッキ機能、ＣＤオートチェンジャー機能、テレビコントロール機能や後述する当該本体装置に外部接続されたＥＱ／ＤＳＰ装置のコントロール機能を有する本体装置と、当該本体装置に着脱可能に設けられ、かつ様々な指令を入力する操作部や様々な情報を表示する表示部といった要部を備えた操作パネルとを有している。尚、当該要部着脱方式のカーステレオ装置においては、当該操作パネルが本体装置に接続されていない場合、当該カーステレオ装置本来の機能を果たすことが不可能であり、盗難防止対策として大きな役目を果たすことができる。
【０００４】
また、当該カーステレオ装置への指令入力は、前記操作パネルの操作部ばかりでなく、例えば赤外線による遠隔操作可能なリモコンによっても実行されるものである。
【０００５】
また、当該カーステレオ装置には、前記ＥＱ／ＤＳＰ装置が外部接続されている。尚、前記本体装置内部には当該本体装置全体を制御する本体用マイコンが、前記ＥＱ／ＤＳＰ装置内部には当該ＥＱ／ＤＳＰ装置全体を制御するＥＱ／ＤＳＰ用マイコンが、前記操作パネル内部には、当該操作パネル全体を制御すると共に、前記本体用マイコンや前記ＥＱ／ＤＳＰ用マイコンを通信制御するＤＣＰ用マイコンが夫々設けられている。
【０００６】
また、前記操作パネルの操作部にはもちろんのこと、前記リモコンにも夫々ＵＰ／ＤＯＷＮキーが備えられている。これらＵＰ／ＤＯＷＮキーは、前記ＥＱ／ＤＳＰ装置による音場処理、すなわち音場処理モード（以下、ＥＱ／ＤＳＰコントロールモードと称する）においては、前記ＥＱ／ＤＳＰ装置にて施される音場処理のパラメータを調整するための機能キーであり、前記ＥＱ／ＤＳＰ装置が音場処理以外の処理、すなわち通常モード（以下、ボリュームモードと称する）においては、音量を調整するための機能キーとなる。
【０００７】
では、次に当該カーステレオ装置の各ＵＰ／ＤＯＷＮキーの機能切換処理について説明する。
【０００８】
当該機能切換処理とは、当該ＵＰ／ＤＯＷＮキーの機能を音量調整用又はパラメータ調整用に切換選択する処理である。
【０００９】
前記ＥＱ／ＤＳＰコントロールモード中に音量調整を行うような場合、前記ＵＰ／ＤＯＷＮキーの機能を音量調整用とするボリュームモードに移行するために、ボリュームモード切換処理を行う必要がある。
【００１０】
では、当該ボリュームモード切換処理について説明する。図８は当該ボリュームモード切換処理におけるＤＣＰ用マイコンの処理動作を示すフローチャートである。
【００１１】
図８において前記ＤＣＰ用マイコンは、前記操作パネルの操作部又は前記リモコンから前記ボリュームモードへの切換入力があったか否かを判定する（ステップＳ３１）。当該ボリュームモードに移行する切換入力があったのであれば、現在のモードが前記ＥＱ／ＤＳＰコントロールモードであるか否かを判定する（ステップＳ３２）。現在のモードがＥＱ／ＤＳＰコントロールモードであれば、ボリュームモードに設定し（ステップＳ３３）、前記操作パネル側のＵＰ／ＤＯＷＮキーをパラメータ調整用からボリューム調整用に切換設定し（ステップＳ３４）、前記リモコン側のＵＰ／ＤＯＷＮキーをパラメータ調整用からボリューム調整用に切換設定し（ステップＳ３５）、当該ボリュームモード切換処理を終了する。
【００１２】
また、ステップＳ３１にてボリュームモードに移行するための切換入力がなければ、又はステップＳ３２にて現在のモードがＥＱ／ＤＳＰコントロールモードでなければ、当該ボリュームモード切換処理を終了する。
【００１３】
次に当該ボリュームモード中にＥＱ／ＤＳＰ装置の音場補正に係わるパラメータを調整する場合、前記ＵＰ／ＤＯＷＮキーをパラメータ調整用とするＥＱ／ＤＳＰコントロールモードに移行するために、ＥＱ／ＤＳＰコントロールモード切換処理を行う必要がある。
【００１４】
では、当該ＥＱ／ＤＳＰコントロールモード切換処理について説明する。図９は当該ＥＱ／ＤＳＰコントロールモード切換処理におけるＤＣＰ用マイコンの処理動作を示すフローチャートである。
【００１５】
図９においてＤＣＰ用マイコンは、前記操作パネルの操作部又は前記リモコンから前記ＥＱ／ＤＳＰコントロールモードへの切換入力があったか否かを判定する（ステップＳ４１）。当該ＥＱ／ＤＳＰコントロールモードに移行する切換入力があったのであれば、現在のモードが前記ボリュームモードであるか否かを判定する（ステップＳ４２）。現在のモードがボリュームモードであれば、ＥＱ／ＤＳＰコントロールモードに設定し（ステップＳ４３）、前記操作パネル側のＵＰ／ＤＯＷＮキーをボリューム調整用からパラメータ調整用に切換設定し（ステップＳ４４）、前記リモコン側のＵＰ／ＤＯＷＮキーをボリューム調整用からパラメータ調整用に切換設定し（ステップＳ４５）、当該ＥＱ／ＤＳＰコントロールモード切換処理を終了する。
【００１６】
また、ステップＳ４１にてＥＱ／ＤＳＰコントロールモードに移行するための切換入力がなければ、又はステップＳ４２にて現在のモードがボリュームモードでなければ、当該ＥＱ／ＤＳＰコントロールモード切換処理を終了する。
【００１７】
従って、当該カーステレオ装置によれば、ＥＱ／ＤＳＰコントロールモード中に音量調整を行う場合、図８に示す前記ボリュームモード切換処理によりボリュームモードに設定するようにしたので、前記操作パネル及びリモコンのＵＰ／ＤＯＷＮキーの機能を音量調整用とすることができる。
【００１８】
また、前記ボリュームモード中にＥＱ／ＤＳＰの音場補正に係わるパラメータを調整する場合、図９に示す前記ＥＱ／ＤＳＰコントロールモード切換処理によりＥＱ／ＤＳＰコントロールモードに設定するようにしたので、前記操作パネル及びリモコンのＵＰ／ＤＯＷＮキーの機能をパラメータ調整用とすることができる。
【００１９】
【発明が解決しようとする課題】
しかしながら、上記従来のオーディオ装置によれば、例えばＥＱ／ＤＳＰコントロールモード中、すなわち当該操作パネル又はリモコンのＵＰ／ＤＯＷＮキーにてパラメータを調整するような場合、当該ＵＰ／ＤＯＷＮキーによりパラメータを調整して微妙な音質等の変化を受聴しながら調整する必要があり、この際に音量が小さい又は大きい場合には、その都度、当該ＥＱ／ＤＳＰコントロールモードから前記ボリュームモードに移行するための切換操作を行わなければならず、しかも当該音量調整後に再びパラメータを調整するような場合には再びＥＱ／ＤＳＰコントロールモードに移行する切換操作を行う必要があり、操作性が非常に悪いといった問題点があった。
【００２０】
本発明は上記問題点に鑑みてなされたものであり、その目的とするところは、パラメータ調整及び音量調整に係わる操作性を著しく良好にしたオーディオ装置を提供することにある。
【００２１】
【課題を解決するための手段】
上記目的を達成するために本発明のオーディオ装置は、音声出力されるべき音声信号の音量を調整する音量調整手段と、前記音声信号に施されるべき音場補正のパラメータを調整する音場調整手段と、前記音量調整手段による音量又は音場調整手段によるパラメータを所定操作にて調整する第１操作手段を有する操作パネルと、前記音量調整手段による音量又は音場調整手段によるパラメータを遠隔所定操作にて調整する第２操作手段を有するリモコンと、前記操作パネル又は前記リモコンから音量調整手段による音量調整モード又は前記音場調整手段によるパラメータ調整モードへのモード切換入力があるかどうかを判定し、該判定に応じてモードを切り換え、前記第１操作手段又は前記第２操作手段を該切り換えられたモード用に設定し、前記第１操作手段又は前記第２操作手段からの入力に応答して前記音量調整手段による音量又は前記音場調整手段によるパラメータを制御する制御手段とを有するオーディオ装置であって、前記制御手段は、前記音場調整手段による音場補正時であると判断したとき、前記第１操作手段を前記音場調整手段によるパラメータ調整用とすると共に前記第２操作手段を前記音量調整手段による音量調整用に設定するか、又は、前記第１操作手段を前記音量調整手段による音量調整用とするとともに前記第２操作手段を前記音場調整手段によるパラメータ調整用に設定するように構成したことを特徴とする。
【００２２】
【作用】
かかる構成により、本発明のオーディオ装置によれば、操作パネル側の第１操作手段又はリモコン側の第２操作手段の入力に応じて前記音量調整手段の音量又は前記音場調整手段のパラメータを制御するようにし、前記音場調整手段による音場補正時である場合には、前記第１操作手段を前記音場調整手段によるパラメータを調整用とし、前記第２操作手段を前記音量調整手段による音量調整用に設定するようにしたので、例えば音場補正を実行しながら音量調整を行うような場合には、従来のような切換操作を行うことなく、前記第２操作手段のみを操作することにより音量を調整することができ、当該パラメータ調整及び音量調整に係わる操作性を著しく良好にすることができる。
【００２３】
【実施例】
以下、図面に基づいて本発明のオーディオ装置を適用したカーステレオ装置の実施例について説明する。図１は本発明のオーディオ装置を適用したカーステレオ装置及び外部装置の接続状態を示すブロック図である。
【００２４】
図１において当該カーステレオ装置１は、要部着脱方式を採用しており、テープデッキ機能、ＣＤオートチェンジャー機能やラジオチューナー機能を有する本体装置１０と、当該本体装置１０に着脱可能に設けられた要部である操作パネル２０とを有している。
【００２５】
前記本体装置１０は、前記ＣＤオートチェンジャー機能を司るＣＤ部１１と、前記ラジオチューナー機能を司るラジオ部１２と、前記テープデッキ機能を司るテープデッキ部１３と、スピーカ１４より音声出力すべき音声信号を増幅するアンプ部１５と、当該本体装置１０全体を制御する本体用マイコン１６とを有している。
【００２６】
前記操作パネル２０には、当該本体装置１０に対して様々な指令を入力する操作キーマトリクス２１と、後述する遠隔操作用リモコン２２からの指令信号を受信するリモコン受信部２３と、様々な情報を表示する表示部２４と、当該操作パネル２０全体を制御する制御手段であるＤＣＰ用マイコン２５とを有している。
【００２７】
前記本体装置１０には、当該操作パネル２０と接続するための操作パネル用コネクタ１７と、図示せぬ外部装置３０と接続するための外部装置用コネクタ１８とを有している。また、前記操作パネル２０には、前記本体装置１０の操作パネル用コネクタ１７に接続する本体装置用コネクタ２６とを有している。
【００２８】
前記本体装置１０に接続する外部装置としてのＥＱ／ＤＳＰ装置３０は、前記本体装置１０からの音声信号に音量調整を施す音量調整手段である音量調整回路３１と、当該音量調整を施した音声信号にＥＱ／ＤＳＰ処理といった音場補正処理を施す音場調整手段であるＥＱ／ＤＳＰ処理回路３２と、当該ＥＱ／ＤＳＰ装置３０全体を制御するＥＱ／ＤＳＰ用マイコン３３とを有している。尚、当該ＥＱ／ＤＳＰ装置３０には、前記本体装置１０側の外部装置用コネクタ１８と接続する本体装置用コネクタ３４を有している。
【００２９】
では、次に前記操作パネル２０及びリモコン２２に備えた機能キーについて説明する。図２は前記操作パネル２０を示す平面図である。図３は前記リモコン２２を示す平面図である。
【００３０】
図２において操作パネル２０は、様々な情報を表示させる表示部２４と、様々な指令を入力する機能キーを有しているのであるが、例えば音量調整時の音量又は音場補正時の音場補正用パラメータを調整するための第１操作手段であるＵＰ／ＤＯＷＮキー２０ａと、音場補正用モードとしてのＤＳＰコントロールモードに移行するためのＤＳＰキー２０ｂと、音場補正用モードとしてのＥＱコントロールモードに移行するためのＥＱキー２０ｃ等とを有している。
【００３１】
また、図３のリモコン２２においても、様々な指令を入力する機能キーを有しているのであるが、例えば音量調整時の音量又は音場補正時の音場補正用パラメータを調整するための第２操作手段であるＵＰ／ＤＯＷＮキー２２ａ等を有している。
【００３２】
次に前記ＥＱ／ＤＳＰ装置３０を接続したカーステレオ装置１の動作について説明する。図４はＵＰ／ＤＯＷＮキー機能切換設定処理におけるＤＣＰ用マイコンの処理動作を示すフローチャートである。
【００３３】
当該ＵＰ／ＤＯＷＮキー機能切換設定処理とは、通常モードとしてのボリュームモード時において、前記リモコン２２側のＵＰ／ＤＯＷＮキー２２ａ及び前記本体装置１０側のＵＰ／ＤＯＷＮキー２０ａをボリューム調整用に設定し、前記音場補正用パラメータを調整するＥＱ／ＤＳＰコントロールモード時において、前記リモコン２２側のＵＰ／ＤＯＷＮキー２２ａをボリューム調整用とし、前記本体装置１０側のＵＰ／ＤＯＷＮキー２０ａをパラメータ調整用に設定するようにしたものである。
【００３４】
図４においてＤＣＰ用マイコン２５は、現在モードがＥＱ／ＤＳＰコントロールモードであるか否かを判定する（ステップＳ１１）。現在モードがＥＱ／ＤＳＰコントロールモードであれば、前記リモコン２２側のＵＰ／ＤＯＷＮキー２２ａをボリューム調整用に設定し（ステップＳ１２）、前記本体装置１０側のＵＰ／ＤＯＷＮキー２０ａをパラメータ補正用に設定し（ステップＳ１３）、当該ＵＰ／ＤＯＷＮキー機能切換設定処理の処理動作を終了する。
【００３５】
また、ステップＳ１１にて現在モードがＥＱ／ＤＳＰコントロールモードでなければ、前記リモコン２２側のＵＰ／ＤＯＷＮキー２２ａをボリューム調整用に設定し（ステップＳ１４）、前記本体装置１０側のＵＰ／ＤＯＷＮキー２０ａをボリューム調整用に設定し（ステップＳ１５）、当該ＵＰ／ＤＯＷＮキー機能切換設定処理の処理動作を終了する。
【００３６】
では、次に当該ＵＰ／ＤＯＷＮキー機能切換設定処理後における前記ＵＰ／ＤＯＷＮキー２０ａ，２２ａの入力処理について説明する。図５は当該ＵＰ／ＤＯＷＮキー入力処理におけるＤＣＰ用マイコン２５の処理動作を示すフローチャートである。図６はＥＱコントロールモード時における前記操作パネル２０の表示部２４の表示状態を示す説明図であり、図７はＤＳＰコントロールモード時における前記操作パネル２０の表示部２４の表示状態を示す説明図である。
【００３７】
当該ＤＣＰ用マイコン２５は、前述した図４のＵＰ／ＤＯＷＮキー機能切換設定処理に示すように通常モードとしてのボリュームモード時においては、前記リモコン２２側のＵＰ／ＤＯＷＮキー２２ａ及び前記本体装置１０側のＵＰ／ＤＯＷＮキー２０ａをボリューム調整用に設定し、前記音場補正用パラメータを調整するＥＱ／ＤＳＰコントロールモード時においては前記リモコン２２側のＵＰ／ＤＯＷＮキー２２ａをボリューム調整用とし、前記本体装置１０側のＵＰ／ＤＯＷＮキー２０ａをパラメータ調整用に設定する。
【００３８】
では、このように設定された当該ＤＣＰ用マイコン２５は、図５に示すように現在のモードがＥＱ／ＤＳＰコントロールモードであるか否かを判定する（ステップＳ２１）。現在のモードがＥＱ／ＤＳＰコントロールモードであれば、本体装置１０側のＵＰ／ＤＯＷＮキー２０ａが入力されたか否かを判定する（ステップＳ２２）。当該本体装置１０側のＵＰ／ＤＯＷＮキー２０ａが入力されたのでなければ、リモコン２２側のＵＰ／ＤＯＷＮキー２２ａが入力されたか否かを判定する（ステップＳ２３）。
【００３９】
当該リモコン２２側のＵＰ／ＤＯＷＮキー２２ａが入力されたのであれば、図６及び図７に示すように前記表示部２４にＥＱ／ＤＳＰコントロールモードの表示状態を表示したまま、当該ＵＰ／ＤＯＷＮキー２２ａの入力に基づくボリューム値データを前記ＥＱ／ＤＳＰ用マイコン３３に出力し（ステップＳ２４）、当該ＵＰ／ＤＯＷＮキー入力処理の処理動作を終了する。
【００４０】
ステップＳ２１にて現在モードがＥＱ／ＤＳＰ用コントロールモードでなければ、本体装置１０側又はリモコン２２側のＵＰ／ＤＯＷＮキー２０ａ，２２ａが入力されたか否かを判定する（ステップＳ２５）。当該本体装置１０側又はリモコン２２側のＵＰ／ＤＯＷＮキー２０ａ，２２ａが入力されたのであれば、前記操作パネル２０の表示部２４にボリューム値を表示させ、当該ＵＰ／ＤＯＷＮキー２０ａ，２２ａの入力に基づくボリューム値データを前記ＥＱ／ＤＳＰ用マイコン３３に出力し（ステップＳ２６）、当該ＵＰ／ＤＯＷＮキー入力処理の処理動作を終了する。
【００４１】
また、ステップＳ２５にて本体装置１０側又はリモコン２２側のＵＰ／ＤＯＷＮキー２０ａ，２２ａが入力されたのでなければ、他の機能キーが入力されたか否かを判定する（ステップＳ２７）。当該他の機能キーが入力されたのであれば、当該入力された他の機能キーに対応した処理を施し（ステップＳ２８）、当該ＵＰ／ＤＯＷＮキー入力処理の処理動作を終了する。
【００４２】
また、ステップＳ２７にて他の機能キーが入力されたのでなければ、当該ＵＰ／ＤＯＷＮキー入力処理の処理動作を終了する。
【００４３】
また、ステップＳ２２にて本体装置１０側のＵＰ／ＤＯＷＮキー２０ａが入力されたのであれば、図６及び図７に示すように当該操作パネル２０の表示部２４にＥＱ／ＤＳＰコントロールモードの表示状態を表示したまま、当該ＵＰ／ＤＯＷＮキー２０ａの入力に基づく当該パラメータ値データを前記ＥＱ／ＤＳＰ用マイコン３３に出力し（ステップＳ２９）、当該ＵＰ／ＤＯＷＮキー入力処理の処理動作を終了する。
【００４４】
従って、上記実施例によれば、本体装置１０側の操作パネル２０にあるＵＰ／ＤＯＷＮキー２０ａ又はリモコン２２側のＵＰ／ＤＯＷＮキー２２ａの入力に応じて前記ＥＱ／ＤＳＰ装置３０側の音量調整回路３１の音量又は前記ＥＱ／ＤＳＰ処理回路３２のパラメータを制御するようにしたが、前記ＥＱ／ＤＳＰ処理回路３２による音場補正時である場合には、前記本体装置１０側のＵＰ／ＤＯＷＮキー２０ａを前記ＥＱ／ＤＳＰ処理回路３２によるパラメータ調整用とし、前記リモコン２２側のＵＰ／ＤＯＷＮキー２２ａを前記音量調整回路３１による音量調整用に設定するようにしたので、例えば音場補正を実行しながら音量調整を行うような場合には、従来のような切換操作を行うことなく、前記リモコン２２側のＵＰ／ＤＯＷＮキー２２ａのみを操作することにより音量を調整することができ、当該パラメータ調整及び音量調整に係わる操作性を著しく良好にすることができる。
【００４５】
尚、上記実施例においては、前記音場補正時において、前記リモコン２２側のＵＰ／ＤＯＷＮキー２２ａを音量調整用とし、前記本体装置１０側のＵＰ／ＤＯＷＮキー２０ａをパラメータ調整用としたが、前記本体装置１０側のＵＰ／ＤＯＷＮキー２０ａを音量調整用、前記リモコン２２側のＵＰ／ＤＯＷＮキー２２ａをパラメータ調整用とするようにしても良い。
【００４６】
また、上記実施例においては、当該本体装置１０に前記ＥＱ／ＤＳＰ装置３０を外部装置として接続した場合を例にとり説明したが、前記本体装置１０内に当該ＥＱ／ＤＳＰ装置３０が含むような場合についても適用可能であることは言うまでもない。
【００４７】
【発明の効果】
上記のように構成された本発明のオーディオ装置によれば、制御手段が、操作パネル又はリモコンから音量調整手段による音量調整モード又は前記音場調整手段によるパラメータ調整モードへのモード切換入力があるかどうかを判定し、該判定に応じてモードを切り換え、第１操作手段又は前記第２操作手段を該切り換えられたモード用に設定し、第１操作手段又は前記第２操作手段からの入力に応答して前記音量調整手段による音量又は前記音場調整手段によるパラメータを制御するように構成され、該切り換えられたモードに応じて、前記第１操作手段又は前記第２操作手段からの入力に応答して前記音量調整手段による音量又は音場調整手段によるパラメータを制御する音場調整手段による音場補正時であると判断したとき、前記第１操作手段を前記音場調整手段によるパラメータ調整用とすると共に前記第２操作手段を前記音量調整手段による音量調整用に設定するか、又は、前記第１操作手段を前記音量調整手段による音量調整用とするとともに前記第２操作手段を前記音場調整手段によるパラメータ調整用に設定するように構成されているので、例えば音場補正を実行しながら音量調整を行うような場合には、従来のような切換操作を行うことなく、前記第２操作手段又は第１操作手段にのみを操作することにより音量を調整することができ、当該パラメータ調整及び音量調整に係わる操作性を著しく良好にすることができる。
【図面の簡単な説明】
【図１】本発明のオーディオ装置を適用したカーステレオ装置及び外部装置であるＥＱ／ＤＳＰ装置の接続状態を示すブロック図である。
【図２】当該カーステレオ装置側の操作パネルを示す平面図である。
【図３】当該カーステレオ装置側のリモコンを示す平面図である。
【図４】ＵＰ／ＤＯＷＮキー機能切換設定処理におけるＤＣＰ用マイコンの処理動作を示すフローチャートである。
【図５】ＵＰ／ＤＯＷＮキー入力処理におけるＤＣＰ用マイコンの処理動作を示すフローチャートである。
【図６】ＥＱコントロールモード時における表示部の表示状態を示す説明図である。
【図７】ＤＳＰコントロールモード時における表示部の表示状態を示す説明図である。
【図８】従来のオーディオ装置におけるボリュームモード切換処理におけるＤＣＰ用マイコンの処理動作を示すフローチャートである。
【図９】従来のオーディオ装置におけるＥＱ／ＤＳＰコントロールモード切換処理におけるＤＣＰ用マイコンの処理動作を示すフローチャートである。
【符号の説明】
１    カーステレオ装置（オーディオ装置）
２０    操作パネル
２０ａ  ＵＰ／ＤＯＷＮキー（第１操作手段）
２２    リモコン
２２ａ  ＵＰ／ＤＯＷＮキー（第２操作手段）
２５    ＤＣＰ用マイコン（制御手段）
３０    ＥＱ／ＤＳＰ装置（外部装置）
３１    音量調整回路（音量調整手段）
３２    ＥＱ／ＤＳＰ処理回路（音場調整手段）
【図１】
0003578231.tif 000002
【図２】
0003578231.tif 000003
【図３】
0003578231.tif 000004
【図４】
0003578231.tif 000005
【図５】
0003578231.tif 000006
【図６】
0003578231.tif 000007
【図７】
0003578231.tif 000008
【図８】
0003578231.tif 000009
【図９】
0003578231.tif 000010